(57)【特許請求の範囲】
【請求項１】
ウェブサーバ上にデータベースと入力用フォームとを用意し、前記入力用フォームを利用者側端末に表示させ、前記入力用フォームを用いて前記データベースに対し、ホームページデータとして、文章および画像の少なくとも一方から構成され、且つ前記文章および画像の少なくとも一方を保存させるホームページ作成支援システムを、
前記利用者又は前記利用者以外の者による前記利用者の記事が掲載されたメールマガジン、ブログ、又はウェブページに設けられたホームページ誘導用リンクに基づいて、前記利用者のホームページに誘導し、前記ホームページの画面を顧客の端末側に表示するとともに、前記ホームページを直接開くことが可能で前記顧客の端末のホーム画面に常時表示されるブックマークを設定するように促す画像を表示するブックマーク設定促進手段と、
どの代理店であるかを識別するタグの情報が前記代理店ごとに関連付けられた新規アカウント作成誘導用リンクの情報を含む前記利用者の情報をあらかじめ記憶するとともに、前記タグの情報が関連付けられていない新規アカウント作成誘導用リンクの情報を含む前記代理店でない前記利用者の情報を記憶する記憶手段と、
前記ホームページ上に設けられた前記新規アカウント作成誘導用リンクに前記タグの情報が埋め込まれているか否かによって前記代理店であるか否かを判定する情報受信部と、
前記情報受信部によって前記利用者が前記代理店であると判定された場合は、前記タグの情報が関連付けられた前記新規アカウント作成誘導用リンクに基づいて、新規アカウントを作成可能な新規アカウント作成ページに誘導し、前記情報受信部によって前記利用者が前記代理店でないと判定された場合は、前記タグの情報が関連付けられていない前記新規アカウント作成誘導用リンクに基づいて、新規アカウントを作成可能な新規アカウント作成ページに誘導し、新規アカウント作成申込画面を前記顧客の端末側に表示する新規アカウント作成処理手段と、
前記新規アカウント作成申込画面を通じて前記新規アカウント作成に対する申込みが完了したと判定し、且つ、前記代理店である前記利用者の前記顧客の利用料の支払いがあった時点で、前記利用者に対する特典の種類の決定又は報酬を算出する特典種類決定又は報酬算出手段と、
前記特典種類決定又は報酬算出手段の決定又は算出結果に基づいて、前記利用者に対する特典の付与又は報酬の支払処理を自動的に実行する決済手段と、
して機能させるホームページ作成支援プログラム。
【請求項２】
前記新規アカウント作成処理手段は、前記顧客のアカウントで作成されたホームページ上に設けられた新規アカウント作成誘導用リンクに基づいて、新規アカウントを作成可能な新規アカウント作成ページに誘導し、新規アカウント作成申込画面を第三者の端末側に表示することが可能であり、
前記特典種類決定又は報酬算出手段は、前記顧客のアカウントで作成されたホームページ経由の前記新規アカウント作成申込画面を通じて前記新規アカウント作成に対する前記第三者の申込みが完了したと判定した時点で、前記利用者に対する特典の種類の決定をしない又は報酬を算出しないことを特徴とする請求項１に記載のホームページ作成支援プログラム。
【請求項３】
前記利用者の端末が、電話機能を有したものであり、
前記利用者のホームページ上に短縮ダイヤルリンクが設けられている場合であって、前記入力用フォームを用いて設定した所定の時間内において、前記利用者の端末が前記短縮ダイヤルリンクに基づいた他端末からの接続要求を受信した際、所定の電話番号へ転送する転送手段として前記ホームページ作成支援システムを機能させることを特徴とする請求項１又は２に記載のホームページ作成支援プログラム。
【請求項４】
請求項１〜３のいずれか一つに記載のホームページ作成支援プログラムを記憶した記憶部と、前記ホームページ作成支援プログラムを実行するコンピュータと、を備えていることを特徴とするホームページ作成支援システム。
【発明の詳細な説明】
【技術分野】
【０００１】
本発明は、ホームページ作成支援プログラム及びホームページ作成支援システムに関する。
【背景技術】
【０００２】
ホームページ作成支援システムは、従来から、公知となっている。例えば、下記特許文献１に、Ｗｅｂサーバ上にデータベースと入力用フォームを用意し、ＨＴＴＰプロトコルを用いたブラウザソフトにより前記入力用フォームをクライアント側に表示させ、この入力用フォームを用いて前記データベースに対し、ホームページデータのレイアウト情報として、文章および画像の少なくとも一方から構成され、且つこれら文章と画像の位置情報を有する単一若しくは複数の段落およびこれら段落相互間の位置情報を保存させることを特徴とするものが開示されている。
【先行技術文献】
【特許文献】
【０００３】
【特許文献１】特開２００２−１８３０３７号公報
【発明の開示】
【発明が解決しようとする課題】
【０００４】
しかしながら、上記特許文献１のホームページ作成支援システムでは、ホームページを容易に作成することができるものの、他人に該システムを紹介しても、最初の利用者に特典の付与又は報酬の支払いがされるようなものではなく、該システムを口コミ、メールマガジン、ブログ、又はウェブページなどで紹介していくことに限界があった。
【０００５】
ここで、近年であれば、ホームページ作成支援システムにアフィリエイトシステムを組み合わせることで、最初の利用者に代理店になってもらい、特典の付与又は報酬の支払いを行なうことが可能であると考えられる。しかしながら、単にホームページ作成支援システムにアフィリエイトシステムを組み合わせたシステムとしただけでは、ホームページ作成支援システムによって作成されたホームページを口コミ、メールマガジン、ブログ、又はウェブページなどでの紹介時にその場でブックマークしてくれるとは考えにくい。
【０００６】
そこで、ホームページを容易に作成することが可能であるとともに、その場で容易にブックマーク設定可能な手段を保有したホームページを作成することができ、利用者の紹介による他利用者の支払い又は課金に対する特典の付与又は報酬の支払いを行なうことが可能なホームページ作成支援プログラム、及び、ホームページ作成支援システムを提供することを目的とする。
【課題を解決するための手段】
【０００７】
（１）本発明のホームページ作成支援プログラムは、ウェブサーバ上にデータベースと入力用フォームとを用意し、前記入力用フォームを利用者側端末に表示させ、前記入力用フォームを用いて前記データベースに対し、ホームページデータとして、文章および画像の少なくとも一方から構成され、且つ前記文章および画像の少なくとも一方を保存させるホームページ作成支援システムを、前記利用者又は前記利用者以外の者による前記利用者の記事が掲載されたメールマガジン、ブログ、又はウェブページに設けられたホームページ誘導用リンクに基づいて、前記利用者のホームページに誘導し、前記ホームページの画面を顧客の端末側に表示するとともに、前記ホームページを直接開くことが可能で前記顧客の端末のホーム画面に常時表示されるブックマークを設定するように促す画像を表示するブックマーク設定促進手段と、どの代理店であるかを識別するタグの情報が前記代理店ごとに関連付けられた新規アカウント作成誘導用リンクの情報を含む前記利用者の情報をあらかじめ記憶するとともに、前記タグの情報が関連付けられていない新規アカウント作成誘導用リンクの情報を含む前記代理店でない前記利用者の情報を記憶する記憶手段と、前記ホームページ上に設けられた前記新規アカウント作成誘導用リンクに前記タグの情報が埋め込まれているか否かによって前記代理店であるか否かを判定する情報受信部と、前記情報受信部によって前記利用者が前記代理店であると判定された場合は、前記タグの情報が関連付けられた前記新規アカウント作成誘導用リンクに基づいて、新規アカウントを作成可能な新規アカウント作成ページに誘導し、前記情報受信部によって前記利用者が前記代理店でないと判定された場合は、前記タグの情報が関連付けられていない前記新規アカウント作成誘導用リンクに基づいて、新規アカウントを作成可能な新規アカウント作成ページに誘導し、新規アカウント作成申込画面を前記顧客の端末側に表示する新規アカウント作成処理手段と、前記新規アカウント作成申込画面を通じて前記新規アカウント作成に対する申込みが完了したと判定し、且つ、前記代理店である前記利用者の前記顧客の利用料の支払いがあった時点で、前記利用者に対する特典の種類の決定又は報酬を算出する特典種類決定又は報酬算出手段と、前記特典種類決定又は報酬算出手段の決定又は算出結果に基づいて、前記利用者に対する特典の付与又は報酬の支払処理を自動的に実行する決済手段と、して機能させることを特徴とする。
【０００８】
上記（１）の構成によれば、ホームページを容易に作成することが可能であるとともに、例えば、利用者の直接のファン等又は利用者のホームページのファン等の利用者以外の者に対して、ホームページ作成支援システムの紹介を容易にし、ホームページ作成支援システムの利用申し込みによる利用者への特典の種類の決定又は報酬を容易に算出し付与することが可能なものとすることができる。特に、ブックマーク設定促進手段により、その場でブックマークしてもらえるようなホームページとなっているので、ブックマーク率を高めることができる。その結果として、ホームページの閲覧数を高めることができるとともに、ホームページの良さ（使い勝手など）をブックマークした利用者以外の者が直接体験できるので、単なる紹介だけの場合に比べ、利用者以外の者（特に顧客）に対するホームページ作成支援システムのアカウント作成の申し込み率を高めることができる。ひいては、顧客が利用者になることによって、利用者への特典の付与又は報酬の支払が増加するので、利用者の他者（顧客）へのホームページ作成支援システムの紹介のモチベーションを上げる一助にもなる。
【０００９】
（２）上記（１）のホームページ作成支援プログラムにおいては、前記新規アカウント作成処理手段が、前記顧客のアカウントで作成されたホームページ上に設けられた新規アカウント作成誘導用リンクに基づいて、新規アカウントを作成可能な新規アカウント作成ページに誘導し、新規アカウント作成申込画面を第三者の端末側に表示することが可能であり、前記特典種類決定又は報酬算出手段が、前記顧客のアカウントで作成されたホームページ経由の前記新規アカウント作成申込画面を通じて前記新規アカウント作成に対する前記第三者の申込みが完了したと判定した時点で、前記利用者に対する特典の種類の決定をしない又は報酬を算出しないものであってもよい。
【００１１】
（３）上記（１）又は（２）のホームページ作成支援プログラムは、前記利用者の端末が、電話機能を有したものである場合、前記利用者のホームページ上に短縮ダイヤルリンクが設けられている場合であって、前記入力用フォームを用いて設定した所定の時間内において、前記利用者の端末が前記短縮ダイヤルリンクに基づいた他端末からの接続要求を受信した際、所定の電話番号へ転送する転送手段として前記ホームページ作成支援システムを機能させるものであってもよい。
【００１２】
上記（３）の構成によれば、利用者のホームページ上の短縮ダイヤルリンクから発信された電話の接続要求を、所定の時間内のみ所定の電話番号へ転送し、それ以外の時間は利用者の端末で受け付けることができるシステムとすることができる。その結果として、利用者の直接のファン等又は利用者のホームページのファン等の利用者以外の者（特に顧客）に対して、適切な時間帯に直接対応することが可能であるとともに、用事がある等して電話に出ることができない場合でも別のスタッフ又は事務所等の電話番号を登録しておけば、該電話番号先で対応が可能であり、問い合わせ等に迅速に対応することができる。特に、利用者のホームページ上の短縮ダイヤルリンク経由での電話は、利用者の直接のファン等又は利用者のホームページのファン等であると考えられるので、きめ細やかな対応をすることができ、良い印象を与えることができる。これにより、利用者は、利用者の直接のファン等又は利用者のホームページのファン等にアピールできるホームページを作成できる。また、利用者は、他の利用者に該ホームページ作成支援システムの良さを伝えやすくなるので、口コミによるホームページ作成支援システムの利用者拡大を図ることが可能となる。
【００１３】
（４）本発明のホームページ作成支援システムは、上記（１）〜（３）のいずれか１つのホームページ作成支援プログラムを記憶した記憶部と、上記ホームページ作成支援プログラムを実行するコンピュータとを備えていることを特徴とする。これにより、上記（１）〜（３）のいずれか１つのホームページ作成支援プログラムの作用効果を奏するシステムを提供できる。
【図面の簡単な説明】
【００１４】
【図１】本発明の実施形態におけるホームページ作成支援システムを説明する図である。
【図２】上記ホームページ作成支援システムのサーバの構成を示す機能ブロック図である。
【図３】上記ホームページ作成支援システムのホームページ公開処理の流れを示すフローチャートである。
【図４】上記ホームページ作成支援システムのアカウント作成処理の流れを示すフローチャートである。
【図５】上記ホームページ作成支援システムの報酬算出処理の流れを示すフローチャートである。
【図６】上記ホームページ作成支援システムのＩＰ電話番号取得処理の流れを示すフローチャートである。
【図７】上記ホームページ作成支援システムの電話転送設定処理の流れを示すフローチャートである。
【発明を実施するための形態】
【００１５】
図面を参照して、本発明の実施形態であるホームページ作成支援プログラムについて説明する。本発明において、下記の本実施形態に記載される事項は一例であり、これに限定されるものではない。また、本実施形態に記載されない事項は意識的に除外したものでもない。本実施形態において上位概念化して記載された事項は、本実施形態に記載されていない当業者において公知であるものも含み、出願時点において存在し得ないものも含む。また、各フローチャートの処理手順について、本実施形態に限定されるものではなく、各処理を実行する手段および手順などは適宜選択し得るものである。
【００１６】
＜ホームページ作成支援システムの説明＞
図１はホームページ作成支援システム１００の構成を説明する図である。本実施形態のホームページ作成支援システム１００は、ネットワーク６を介して相互に通信可能なサーバ２、利用者（代理店）端末３（以下、利用者端末３とする。）、新規利用者端末４（顧客端末５において新規アカウントを作成したものでもある。）、顧客端末５、通信事業者電話番号発行装置８で構成される。ここで、利用者端末３は、利用者であるとともに代理店でもある者が使用する端末である。新規利用者端末４は、利用者端末３の利用者経由でホームページ作成支援システム１００を利用するためのアカウントを作成した者が使用する端末である。顧客端末５は、まだホームページ作成支援システム１００を利用するためのアカウントを作成していないが、該アカウントを作成することが可能な者（利用者の顧客など）が使用する端末である。
【００１７】
＜サーバのハードウェア構成＞
サーバ２は、図１及び図２に示すように、ウェブサーバ２１、データベースサーバ２２、電話交換サーバ２３、特典種類決定・報酬算出サーバ２４を備えている。これらの各サーバは、図示しないが、基本構成として、制御部と、表示部と、入力部と、記憶部と、通信部とを備えている。上記制御部は、ＣＰＵ又はＭＰＵなどの演算処理部、及びＲＡＭなどのメモリを備えている。上記演算処理部は、各種入力に基づき、記憶部に記録されたプログラムを実行することで、各種機能部を動作させるものである。このプログラムは、ＣＤ−ＲＯＭ等の記録媒体に記憶され、もしくはネットワーク６を介して配布され、各サーバにインストールされるものであってもよい。上記メモリは、サーバ用プログラム及びホームページ作成支援プログラム、ならびに、これらのプログラムにおいて処理の実行中に、演算等に必要な各種データを、一時的に記憶するためのものである。上記入力部は、サーバの管理者からの操作を受け付けるように構成され、キーボードやマウス、タッチパネル等によって実現することができる。上記記憶部は、ハードディスク等の記憶装置によって構成され、上記制御部における処理の実行に必要な各種プログラムや、各種プログラムの実行に必要なデータ等を記録しておくものである。さらに、各サーバには、以下に説明するものが構成されている。
【００１８】
＜データベースサーバの構成＞
データベースサーバ２２は、利用者データベース２２１、ページ構成データベース２２２、代理店報酬データベース２２３、課金履歴データベース２２４、代理店データベース２２５を備えている。
【００１９】
利用者データベース２２１には、ホームページ作成支援システム１００のアカウントを作成した利用者端末３の利用者の各種情報、新規利用者端末４の利用者の各種情報、などが格納されている。ここで、各種情報には、利用者のホームページアドレス情報と、後述する電話交換サーバ２３で使用される転送時間帯情報と転送先電話番号情報とが含まれる。
【００２０】
ページ構成データベース２２２には、ホームページコンテンツの文書情報に加えて、画像情報、レイアウト情報、ページリンク情報、ページ表示期間、ページアクセス頻度、参照元情報、閲覧者ごとの参照制限情報などが格納されている。
【００２１】
代理店報酬データベース２２３には、新規利用者端末４の利用者などがホームページ作成支援システム１００の利用に応じて支払った料金などに対して利用者端末３の利用者に付与する、報酬又は特典の情報、報酬の支払情報、特典の付与情報などが格納されている。
【００２２】
課金履歴データベース２２４には、各利用者のホームページ作成支援システム１００の利用に応じて支払った料金の情報、支払った料金に応じて付与した利用ポイント（ホームページ作成支援システム１００内で使用可能なもの）の情報、利用ポイントの残ポイント情報などが格納されている。
【００２３】
代理店データベース２２５には、利用者（代理店）のホームページ上に設ける新規アカウント作成誘導用リンクに埋め込むタグ（代理店コード）の情報、利用者（代理店）の報酬支払先などの各代理店の情報などが格納されている。この各代理店の情報は、予めホームページ作成支援システム１００の管理者が代理店データベース２２５に格納することができる。
【００２４】
＜ウェブサーバの構成＞
ウェブサーバ２１は、情報受信部２１２、情報発信部２１１を有している。情報受信部２１２は、利用者データベース２２１及びページ構成データベース２２２に各種の情報を入力するための基本的な入力用フォームをメンテナンス画面として用意しており、利用者端末３側の利用者（ホームページ作成者）は、ウェブサーバ２１を通して、このメンテナンス画面をＨＴＴＰプロトコル用いたブラウザソフトにより利用者端末３側に表示させ、この画像を使って直接データベースサーバ２２の利用者データベース２２１及びページ構成データベース２２２にデータを入力できるようになっている。つまり、利用者端末３から、このメンテナンス画面に対して入力作業を行うと、この過程が一覧形式などで表示されるとともに、利用者データベース２２１及びページ構成データベース２２２のデータの変更又は追加ができるようになっている。
【００２５】
また、情報受信部２１２を介して、利用者データベース２２１に格納されている新規利用者端末４の利用者は、ウェブサーバ２１を通して、このメンテナンス画面をＨＴＴＰプロトコル用いたブラウザソフトにより新規利用者端末４側に表示させ、この画像を使って直接データベースサーバ２２の利用者データベース２２１にデータを入力できるようになっている。つまり、新規利用者端末４から、このメンテナンス画面に対して入力作業を行うと、この過程が一覧形式などで表示されるとともに、利用者データベース２２１の新規利用者端末４の利用者のデータの変更又は追加ができるようになっている。
【００２６】
また、情報発信部２１１は、利用者端末３、新規利用者端末４、顧客端末５側のホームページ閲覧者がウェブサーバ２１を通してＷｅｂサイトをアクセスすると、ページ構成データベース２２２のデータを読み出し、動的にホームページ閲覧可能なデータ形式（ＨＴＭＬファイル）を生成し、ウェブサーバ２１を通してＨＴＴＰプロトコル用いてホームページ閲覧者側に送信し、ホームページ閲覧者は、ブラウザソフトを用いることで受信内容をディスプレイに表示することができる。また、情報発信部２１１は、利用者のホームページに掲載されているＱＲコード（登録商標）又はアドレスなどのホームページ誘導用リンクを顧客端末５が読み込んだ際、利用者のホームページを直接開くことが可能で顧客端末５のホーム画面において常時表示されるブックマークを設定するように促す画像を表示するブックマーク設定促進機能を有している。
【００２７】
＜電話交換サーバの構成＞
電話交換サーバ２３は、転送部２３１を有している。転送部２３１は、予めデータベースサーバ２２の利用者データベース２２１に登録されている転送時間帯情報に基づいて利用者端末３にかかってきた電話を、予め登録されている転送電話番号情報に基づいて転送したい所定の電話番号先に転送するようになっている。
【００２８】
＜特典種類決定・報酬算出サーバの構成＞
特典種類決定・報酬算出サーバ２４は、特典種類決定・報酬算出部２４１と、決済部２４２と、を有している。特典種類決定・報酬算出部２４１は、顧客端末５の表示部に表示される新規アカウント作成申込画面を通じて新規アカウント作成に対する申込みが完了したと判定し、且つ、顧客端末５を使用している顧客からの利用料の支払いがあった時点で、予め設定しておいた利用者（代理店）に対する特典の種類の決定又は報酬を算出する。特典の種類としては、ホームページ作成支援システム１００の利用ポイントの付与などが挙げられるが、これに限られない。また、報酬としては、例えば、顧客端末５を使用している顧客の支払額の５％（率は適宜設定変更可能）として算出することができる。決済部２４２は、特典種類決定・報酬算出部２４１で決定された特典、又は算出された報酬を利用者に対して付与又は支払う処理を自動的に実行するものである。
【００２９】
＜利用者端末、新規利用者端末、顧客端末のハードウェア構成＞
利用者端末３、新規利用者端末４、及び顧客端末５は、インターネット通信などの通信回線を備え、ネットワーク６に接続することができるものであり、例えば、電話機能を有した、携帯電話、スマートフォン、パーソナルコンピュータ（ＰＣ）、又は、タブレットＰＣなどである。また、利用者端末３は、図示しないが、ＣＰＵ及びメモリを含む制御部、ネットワーク６と接続するための通信部、利用者からの操作を受け付けるタッチパネル等の入力部、画面を表示する表示部、ブックマークをブラウザ上または、アプリケーション上で記録する記録部などを備えている。新規利用者端末４、顧客端末５は、利用者端末３と同様の構成である。
【００３０】
＜ホームページ作成支援処理の説明＞
以下、本実施形態における利用者端末３において実行されるホームページ作成支援プログラムによって提供される処理について説明する。
【００３１】
＜ホームページ作成処理＞
まず、利用者端末３を使用しているホームページ作成者は、利用者端末３からネットワーク６を介してウェブサーバ２１のメンテナンス画面にアクセスする。ここで、初期アクセスの場合、ウェブサーバ２１のメンテナンス画面に、ホームページ作成者が正規利用者か否かを認証するためのログイン画面を表示する処理が実行される。このログイン画面に対して予め登録しておいた利用者名（ＩＤ）とパスワードを入力し、ログインを行い、これらＩＤとパスワードにより正規ユーザとして認証できれば、ウェブサーバ２１のメンテナンス画面にアクセスできる。なお、以下では、ログインを完了したものとして各処理の説明をする。そして、ログインを完了したホームページ作成者によって、ウェブサーバ２１のメンテナンス画面において、作成しようとしているウェブサイトのホームページの各種情報（アイコン画像、ヘッダー画像、サイトカラー、ホームアイコン画像、サイトタイトルなど）が入力された場合、各種情報のデータは、利用者名（ＩＤ）に関連付けたデータとして、データベースサーバ２２のページ構成データベース２２２に格納される。これにより、公開したいホームページが作成され、保存される。なお、新規利用者端末４のホームページ作成の場合も、利用者端末３のホームページ作成の場合と同様の処理がなされる。
【００３２】
＜ホームページ公開処理の説明＞
次に、図３を用いて、ホームページ作成後のホームページ公開処理について説明する。利用者端末３を使用している利用者が、利用者端末３からネットワーク６を介してウェブサーバ２１のメンテナンス画面にアクセスし、ホームページの公開要求を申し込むと（ステップＳ１１）、ホームページ公開要求をウェブサーバ２１に送信する（タイミングＴ１１）。ホームページ公開要求を受信したウェブサーバ２１の情報受信部２１２は（ステップＳ２１）、ホームページ作成支援システム１００を利用するためのポイントの引き落としが必要かどうかデータベースサーバ２２の課金履歴データベース２２４にアクセスして判定する（ステップＳ２２）。すでに引き落としされており、ポイントの引き落としが必要ない場合（ステップＳ２２：Ｎｏ）には、ホームページ作成処理を行い（ステップＳ２６）、ホームページ画面データを利用者端末３に送信し（タイミングＴ１２）、ウェブサーバ２１の処理は終了する。そして、ホームページ画面データを受信した利用者端末３は、表示部にホームページ画面を表示する処理を行なう（ステップＳ１２）。
【００３３】
ポイントの引き落としが必要な場合（ステップＳ２２：Ｙｅｓ）には、必要なポイントを購入しているかどうかデータベースサーバ２２の課金履歴データベース２２４にアクセスして判定する（ステップＳ２３）。必要なポイントを購入している場合（ステップＳ２３：Ｙｅｓ）には、ポイントを引き落としした上で、ホームページ作成処理を行い（ステップＳ２６）、ホームページ画面データを利用者端末３に送信し（タイミングＴ１２）、ウェブサーバ２１の処理は終了する。そして、ホームページ画面データを受信した利用者端末３は、表示部にホームページ画面を表示する処理を行なう（ステップＳ１２）。
【００３４】
必要なポイントを購入していない場合（ステップＳ２３：Ｎｏ）には、自動購入が可能かどうか（ポイントの自動購入設定がされているかどうか）判定する（ステップＳ２４）。自動購入が可能な場合には（ステップＳ２４：Ｙｅｓ）、ポイントの自動購入が実行され（ステップＳ２５）、ポイントを引き落としした上で、ホームページ作成処理を行い（ステップＳ２６）、ホームページ画面データを利用者端末３に送信し（タイミングＴ１２）、ウェブサーバ２１の処理は終了する。そして、ホームページ画面データを受信した利用者端末３は、表示部にホームページ画面を表示する処理を行なう（ステップＳ１２）。
【００３５】
自動購入が不可能な場合には（ステップＳ２４：Ｎｏ）、図示しないが、ポイント不足でホームページを公開できない旨の通知を利用者端末３に送信し、ウェブサーバ２１の処理は終了する。
【００３６】
＜ブックマーク設定促進処理の説明＞
利用者のホームページに掲載されているＱＲコード（登録商標）又はアドレスなどのホームページ誘導用リンクを顧客端末５が読み込んだ際、ウェブサーバ２１の情報発信部２１１は、利用者のホームページを直接開くことが可能で顧客端末５のホーム画面において常時表示されるブックマークを設定するように促す画像を顧客端末５に送信する。ブックマークを設定するように促す画像を受信した顧客端末５の表示部は、該画像を表示する処理を行なう。そして、顧客端末５の操作により、該画像をクリック又は選択後に処理を実行する命令をすることによって、顧客端末５のホーム画面にブックマークを設定することができる。
【００３７】
＜アカウント作成処理の説明＞
次に、図４を用いて、顧客のアカウント作成処理について説明する。顧客端末５を使用している顧客が、顧客端末５から利用者のホームページ上に設けられた新規アカウント作成誘導用リンクを介してアクセスし、アカウント作成を申し込むと（ステップＳ３１）、アカウント作成要求をウェブサーバ２１に送信する（タイミングＴ２１）。アカウント作成要求を受信したウェブサーバ２１の情報受信部２１２は（ステップＳ４１）、代理店経由の新規アカウント作成誘導用リンクからの申し込みであれば含まれているタグ（代理店コード）を特定できるかどうか判定する（ステップＳ４２）。タグが特定できた場合（ステップＳ４２：Ｙｅｓ）、後述する報酬算出処理が実行される（ステップＳ４３）。報酬算出処理の実行後、顧客端末５のアカウントは、代理店（利用者端末３の利用者）経由のアカウントとして利用者データベース２２１において管理されるとともに、代理店データベース２２５の代理店データに関連付けられる（ステップＳ４４）。そして、顧客端末５のアカウントを作成し（ステップＳ４６）、アカウント完成画面を作成（ステップＳ４７）した後、アカウント完成画面データを顧客端末５に送信し（タイミングＴ２２）、ウェブサーバ２１の処理は終了する。ホームページ画面データを受信した利用者端末３は、表示部にホームページ画面を表示する処理を行なう（ステップＳ３２）。
【００３８】
タグが特定できなかった場合（ステップＳ４２：Ｎｏ）、通常のアカウントとして利用者データベース２２１において管理される（ステップＳ４５）。そして、顧客端末５のアカウントを作成し（ステップＳ４６）、アカウント完成画面を作成（ステップＳ４７）した後、アカウント完成画面データを顧客端末５に送信し（タイミングＴ２２）、ウェブサーバ２１の処理は終了する。ホームページ画面データを受信した利用者端末３は、表示部にホームページ画面を表示する処理を行なう（ステップＳ３２）。
【００３９】
＜報酬算出処理の説明＞
次に、図５を用いて、上述のステップＳ４３における報酬算出処理について説明する。まず、顧客端末５を使用している顧客からのポイント購入があったかどうかを特典種類決定・報酬算出サーバ２４の特典種類決定・報酬算出部２４１において判定する（ステップＳ４３１）。顧客からのポイント購入がなかった場合（ステップＳ４３１：Ｎｏ）には、報酬算出処理は終了する。顧客からのポイント購入があった場合（ステップＳ４３１：Ｙｅｓ）、特典種類決定・報酬算出部２４１は、利用者（代理店）が支払う所定の手数料を算出する（ステップＳ４３２）。続いて、特典種類決定・報酬算出部２４１は、利用者（代理店）への報酬を算出する（ステップＳ４３３）。例えば、顧客がポイント購入に支払った料金の５％を報酬として算出する。その後、決済部２４２は、特典種類決定・報酬算出部２４１で算出された結果に基づいて、代理店データベースに格納されている代理店情報に含まれる指定口座などに報酬を支払う処理を実行する（ステップＳ４３４）。なお、その後は、顧客のポイント購入がある毎に報酬が算出され、支払われる処理が行われる。また、ステップＳ４３では、報酬算出処理を実行したが、この代わりに、特典を付与する処理を実行することとしてもよい。
【００４０】
＜ＩＰ電話番号取得処理の説明＞
次に、図６を用いて、電話転送を利用するために、利用者端末３の電話番号と異なるＩＰ電話番号（例えば、０５０から始まる電話番号など）を取得する処理について説明する。利用者端末３を使用している利用者が、利用者端末３からネットワーク６を介してウェブサーバ２１のＩＰ電話番号取得申込画面にアクセスし、ＩＰ電話番号の取得を申し込むと（ステップＳ５１）、ＩＰ電話番号取得申込要求をウェブサーバ２１に送信する（タイミングＴ３１）。ＩＰ電話番号取得申込要求を受信したウェブサーバ２１の情報受信部２１２は（ステップＳ６１）、ネットワーク６を介して通信事業者電話番号発行装置８に代理でＩＰ電話番号取得申し込みを行い（ステップＳ６２）、ＩＰ電話番号を取得する（ステップＳ６３）。取得したＩＰ電話番号の情報は、データベースサーバ２２の利用者データベース２２１内の利用者の情報に追加されて（関連付けて）保管される（ステップＳ６２）。そして、ウェブサーバ２１は、ＩＰ電話番号申込完了画面を作成し（ステップＳ６２）、情報発信部２１１によってＩＰ電話番号申込完了画面データを利用者端末３に送信し（タイミングＴ３２）、ウェブサーバ２１の処理は終了する。そして、ＩＰ電話番号申込完了画面データを受信した利用者端末３は、表示部にＩＰ電話番号申込完了画面を表示する処理を行なう（ステップＳ５２）。なお、このようなＩＰ電話番号を利用すれば、利用者の利用者端末３の電話番号を公表することなく、利用者端末３を顧客端末５との連絡用電話としても使用することができる。
【００４１】
＜電話転送設定処理の説明＞
次に、図７を用いて、利用者端末３が電話機能を有している場合における電話転送設定処理について説明する。利用者端末３を使用している利用者が、すでに上述のＩＰ電話番号を取得しており、利用者端末３からネットワーク６を介してウェブサーバ２１の電話転送設定申込画面にアクセスし、例えば、所定の時間帯（例えば、午前９時〜午後７時）には上述のＩＰ電話番号へ転送されるように電話転送設定を申し込むと（ステップＳ７１）、電話転送設定要求をウェブサーバ２１に送信する（タイミングＴ４１）。電話転送設定要求を受信したウェブサーバ２１の情報受信部２１２は（ステップＳ８１）、データベースサーバ２２の利用者データベース２２１内の利用者の情報に電話転送設定の情報を追加して（関連付けて）保管する（ステップＳ８２）。そして、ウェブサーバ２１は、電話転送設定完了画面を作成し（ステップＳ６２）、情報発信部２１１によってＩＰ電話番号申込完了画面データを利用者端末３に送信し（タイミングＴ４２）、ウェブサーバ２１の処理は終了する。そして、ＩＰ電話番号申込完了画面データを受信した利用者端末３は、表示部にＩＰ電話番号申込完了画面を表示する処理を行なう（ステップＳ７２）。
【００４２】
＜電話転送処理の説明＞
上述の電話転送設定処理によって設定された利用者データベース２２１内の利用者の設定データに基づいて、利用者のホームページ上の短縮ダイヤルリンクから発信された接続要求を、電話交換サーバ２３の転送部２３１は、例えば、午前９時〜午後７時の間は所定の電話番号（ＩＰ電話番号又は固定電話の電話番号）に転送し、午前９時〜午後７時の間以外は携帯電話である利用者端末３に転送する、といった処理を実行する。
【００４３】
上記構成のホームページ作成支援システム１００によれば、ホームページを容易に作成することが可能であるとともに、例えば、利用者の直接のファン等又は利用者のホームページのファン等の利用者以外の者に対して、ホームページ作成支援システムの紹介を容易にし、ホームページ作成支援システムの利用申し込みによる利用者への特典の種類の決定又は報酬を容易に算出し付与することが可能なものとすることができる。特に、ブックマーク設定促進機能により、リンクとなるＱＲコード（登録商標）などが掲載されており、その場でブックマークしてもらえるようなホームページとなっているので、ブックマーク率を高めることができる。その結果として、ホームページの閲覧数を高めることができるとともに、ホームページの良さ（使い勝手など）をブックマークした利用者以外の者が直接体験できるので、単なる紹介だけの場合に比べ、利用者以外の者（特に顧客）に対するホームページ作成支援システム１００のアカウント作成の申し込み率を高めることができる。ひいては、利用者への特典の付与又は報酬の支払が増加するので、利用者の他者（顧客）へのホームページ作成支援システム１００の紹介のモチベーションを上げる一助にもなる。
【００４４】
また、上記構成のホームページ作成支援システム１００によれば、顧客によるホームページ作成支援システム１００の紹介を容易にし、ホームページ作成支援システム１００の利用申し込みによる利用者への報酬を容易に算出することが可能なものとすることができる。すなわち、顧客によるホームページ作成支援システム１００の紹介によって、さらに新たなシステム利用申し込みがあった場合に、最初の利用者（代理店）に特典の付与又は報酬が支払われるシステムとすることができる。
【００４５】
また、上記構成のホームページ作成支援システム１００によれば、利用者のホームページ上の短縮ダイヤルリンクから発信された電話の接続要求を、所定の時間内のみ所定の電話番号へ転送し、それ以外の時間は利用者端末３で受け付けることができるシステムとすることができる。その結果として、利用者の直接のファン等又は利用者のホームページのファン等の利用者以外の者（特に顧客）に対して、適切な時間帯に直接対応することが可能であるとともに、用事がある等して電話に出ることができない場合でも別のスタッフ又は事務所等の電話番号を登録しておけば、該電話番号先で対応が可能であり、問い合わせ等に迅速に対応することができる。特に、利用者のホームページ上の短縮ダイヤルリンク経由での電話は、利用者の直接のファン等又は利用者のホームページのファン等であると考えられるので、きめ細やかな対応をすることができ、良い印象を与えることができる。これにより、利用者は、利用者の直接のファン等又は利用者のホームページのファン等にアピールできるホームページを作成できる。また、利用者は、他の利用者に該ホームページ作成支援システム１００の良さを伝えやすくなるので、口コミによるホームページ作成支援システム１００の利用者拡大を図ることが可能となる。
【符号の説明】
【００４６】
２    サーバ
３    利用者端末
４    新規利用者端末
５    顧客端末
６    ネットワーク
８    通信事業者電話番号発行装置
２１    ウェブサーバ
２２    データベースサーバ
２３    電話交換サーバ
２４    特典種類決定・報酬算出サーバ
１００    ホームページ作成支援システム
２１１    情報発信部
２１２    情報受信部
２２１    利用者データベース
２２２    ページ構成データベース
２２３    代理店報酬データベース
２２４    課金履歴データベース
２２５    代理店データベース
２３１    転送部
２４１    報酬算出部
２４２    決済部
【図１】
0006785049.tif 000002
【図２】
0006785049.tif 000003
【図３】
0006785049.tif 000004
【図４】
0006785049.tif 000005
【図５】
0006785049.tif 000006
【図６】
0006785049.tif 000007
【図７】
0006785049.tif 000008